(57)【要約】 【課題】  扉用面付け錠に対するドリル対策を十分に講じること。また、錠ケースの収納部を有効的に活用することができること。【解決手段】  錠ケースが扉の内壁面に内側取付け座を介して固定的に取付けられる扉用面付け錠において、前記錠ケースの収納部内に固定されかつ錠機構部をカバーする支持板の一側面に、ドリル対策用の硬質保護板を固定的に添設したことを特徴とする扉用面付け錠。【選択図】  図２
2005083161.tif 000002
【特許請求の範囲】
【請求項１】
錠ケースが扉の内壁面に内側取付け座を介して固定的に取付けられる扉用面付け錠において、前記錠ケースの収納部内に固定されかつ錠機構部をカバーする支持板の一側面に、ドリル対策用の硬質保護板を固定的に添設したことを特徴とする扉用面付け錠。
【請求項２】
請求項１に於いて、硬質保護板４１は、焼入れが施された金属製の固定枠板であり、内側取付け座１２の取付けベース部５０に対して一体的に嵌合する側壁部４６を有することを特徴とする扉用面付け錠。
【請求項３】
請求項１又は請求項２に於いて、硬質保護板４１は、支持板３２の一側面に添設状態に固定されかつ錠機構部３３をカバーする幅広の垂直壁部４２と、この垂直壁部４２に直交方向に連なる側壁部４６とから成り、前記垂直壁部４２には、少なくともシリンダー錠装着用開口４３と操作部材用開口４４がそれぞれ形成されていることを特徴とする扉用面付け錠。
【請求項４】
請求項１に於いて、内側取付け座１２の端縁には、水平方向に延びる上下の支持腕５６．５６が突出形成され、これらの支持腕５６．５６の先端部には、錠ケース２１のデッドボルト突出側の一側壁２５の内面に一体的に連結する突片状連結部５６ｂ．５６ｂが形成されていることを特徴とする扉用面付け錠。
【請求項５】
請求項１に於いて、内側取付け座１２の端縁には、水平方向に延びる上下の支持腕５６．５６が突出形成され、これらの支持腕５６．５６の先端部には、錠ケース２１のデッドボルト突出側の一側壁２５の内面を抑えることができるように当接する突片５６ｂ．５６ｂが形成されていることを特徴とする扉用面付け錠。
【発明の詳細な説明】
【技術分野】
【０００１】
本発明は、家屋、施設、倉庫などの扉の内壁面に固定される扉用面付け錠に関する。
【背景技術】
【０００２】
近年、泥棒の暴力的な破壊行為の一例として錠前を構成するシリンダー錠をドリルで加工する行為（穿孔行為）が発生している。そのために、特許文献１には、例えば自動販売機の扉に装着されるハンドル錠のシリンダーの外周壁に、ドリルによる穿孔操作が困難な硬質の保護リングを外嵌合する技術が開示されている。また特許文献２には、錠前のキー孔を有する内筒体の先端部に硬質の保護キャップを被せる技術が開示されている。
ところで、泥棒の暴力的な破壊行為がエスカレートすると、極端な場合、扉の外壁面からドリリングをし、扉の内壁面に固定した扉用面付け錠を攻撃する可能性がある。何故ならば、普通一般に家屋、施設、倉庫などの扉は、泥棒が使用するドリルで穴あけ加工ができる材質で出来ているからである。そこで、扉用面付け錠に対するドリル対策が要望されている。
【特許文献１】特許公開２００３−４９５６５公報
【特許文献２】特許公開２００１−１２１１９公報
【発明の開示】
【発明が解決しようとする課題】
【０００３】
本発明の第１の目的は、扉用面付け錠に対するドリル対策を十分に講じること。第２の目的は、錠ケースの収納部を有効的に活用することができると共に、硬質の保護板を内側の取付け座に対して簡単かつ安定的に組み合わせすることができること。第３の目的は、泥棒が用いるバールのこじあけ操作力によって錠ケースの側壁部に側圧力が加わった時、錠ケースが変形するのを防止する、あるいは錠ケースが取付け座から屋内側へ浮き上がるのを防止すること。第４の目的は、合理的な構成により各部材を一体的に連結することである。
【課題を解決するための手段】
【０００４】
本発明の扉用面付け錠は、錠ケースが扉の内壁面に内側取付け座を介して固定的に取付けられる扉用面付け錠において、前記錠ケースの収納部内に固定されかつ錠機構部をカバーする支持板の一側面に、ドリル対策用の硬質保護板を固定的に添設したことを特徴とする。
【発明の効果】
【０００５】
（１）錠ケースの収納部内の支持板の一側面に、ドリル６５対策用の硬質保護板を固定的に添設したので、図７で示すように、扉の外壁面側からのドリリングによる穿孔加工に対しても、少なくとも硬質保護板で防御することができる。
【０００６】
（２）錠ケースの収納部を有効的に活用することができると共に、特に、請求項２に記載の発明は、内側取付け座に対して一体的に嵌合する側壁部を有する固定枠板であるから、硬質の保護板を内側取付け座に対して簡単、かつ、安定的に組み合わせることができる。
【０００７】
（３）付加的効果であるが、請求項４及び請求項５に記載の発明は、図８で示すように、泥棒が用いるバールのこじあけ操作力によって錠ケースの側壁部に側圧力が加わった時、錠ケースが変形するのを防止する、あるいは錠ケースが取付け座から屋内側へ浮き上がるのを防止することができる。なお、図８のバール６６のこじあけ方法に関しては、公序良俗の観点から詳細な説明図を割愛する。
【０００８】
（４）その他、合理的な構成により各部材を一体的に連結することができる。
【発明を実施するための最良の形態】
【０００９】
以下、図１乃至図８に示す本発明を実施するための最良の形態により、本発明を詳細に説明する。
（１）実施の環境
図１は、家屋、施設、倉庫などの扉１の内壁面１ａに固定した面付け錠Ｘを示す。この実施の形態に於いて、２は屋外、３は屋内（室内）である。
【００１０】
したがって、１ｂは扉の外壁面、４は出入口の扉用枠、５は扉用枠４と扉１の開放側端部１ｃとの間の隙間、６は面付け錠Ｘのデッドボルト７やラッチ８が係合するストライクを有する受け金具である。
【００１１】
また、９は内側操作部材、１０は外側操作部材で、これら内外の操作部材９，１０は図示しないハンドル軸を介して同一軸線上に一体的に連結される。
【００１２】
さらに、１１は扉１の外壁面に取付けられる外側取付け座で、この外側取付け座１１は扉１の内部に入り込む複数のメネジ取付け杆１１ａを有する。面付け錠Ｘは、後述する内側取付け座１２、及び複数本の固着具１３を介して扉１の内壁面１ａに錠ケース２１の面付け端面３１が固定される。
【００１３】
また、面付け錠Ｘは、扉１に形成した開口部１ｄを介して取付けられるシリンダー錠１４を備えていると共に、錠ケース２１の表面から突出するサムターン部材の摘み１５を有している。
【００１４】
（２）面付け錠の錠ケース
２１は錠ケースである。図２は扉１を基準にして屋外側から見た斜視図であり、一方、図３は屋内側から見た正面図である。この錠ケース２１は、扉１の内壁面１ａに対する面付け側が開口した角型の弁当箱状に形成されている。
【００１５】
図３を基準にして説明すると、２２は縦長状の前板部で、この前板部２２の上端部にはサムターン摘み１５が設けられていると共に、その下端部には、内側操作部材の軸部用孔２３が形成されている。また、前板部２２の適宜箇所には、複数個の固着具用貫通孔２４が形成されている。
【００１６】
２５は前板部２２から直交方向に連なる右側板部で、この右側板部２５は受け金具６に若干の間隙を有して対向する。サムターン摘み１５を操作すると、デッドボルト７は、錠ケース２１に内装されたデッドボルト送りなどの錠機構部３３を介して右側板部２５から受け金具６のストライクに対して進退動する。
【００１７】
２６は右側板部２５と対向する左側板部、２７，２８は左右の側板部および前板部にそれぞれ直交方向に連なる上下の側板部である。本実施例では、デッドボルト、あるいはラッチ側の右側板部２５の上下端部に複数個（２個）の固着具用の孔２９が形成されている。これらの固着具用の孔２９は、後述する内側取付け座１２の挟持アームのメネジと一致する。
【００１８】
３０は囲い状上下左右の側板部２５，２６，２７，２８の面付け端面３１側から前板部２２の内壁面まで内方に大きく開口する収納部で、この収納部３０には、図４で示すように、錠ケース２１の内部に固定された方形状の支持板３２を介してドリル対策用の硬質保護板４１が完全に納まる。
【００１９】
ところで、前記支持板３２と前板部２２との内部空間には、錠機構部３３（便宜上、仮想線で示す。）が設けられている。また、支持板３２には、サムターン部材の駆動軸３４用開口３５、操作部材用開口３６、複数個（３個）の固着具用貫通孔３７などが適宜に形成されている。
【００２０】
（３）硬質保護板
硬質保護板４１は、ドリルなどによる穴あけ加工（穿孔操作）が容易にできないような硬質材料で形成され、または焼入れが施された金属製の固定プレートである。本実施例の硬質保護板４１は、浸炭焼入れが施された硬質の固定枠板であり、この固定枠板（硬質保護板）４１は、扉１の内壁面１ａに固定された内側取付け座１２に対して一体的に嵌合する。
【００２１】
しかして、４２は支持板３２の一側面に添設状態に固定され、かつ、錠機構部３３をカバーする幅広の垂直壁部で、この垂直壁部４２には、ドリル対策として支障が無いこと、錠前としての必要性などを考慮して開口、小孔等が適宜に形成されている。
【００２２】
すなわち、図２を参照にすると、４３は上端部のシリンダー錠装着用開口、４４は下端部の操作部材用開口、４５は錠ケース２および支持板３２の貫通孔２４，３７と符合する固着具用の貫通孔である。
【００２３】
また、４６は幅広の垂直壁部４２に直交方向に連なるトラック形状（周壁状）の側壁部で、この側壁部４６の錠ケース２１の右側壁部２５と所要の間隙４７を有して対向する適宜部位には、上下一対の係合切欠部４８，４８が形成されている。なお、硬質保護板４１が図５で示すように錠ケース２１内に固定的に組み込まれた場合には、図４で示すようにその側壁部４６の端面は、錠ケース２１の面付け端面３１から突出しない。
【００２４】
（４）内側取付け座
内側取付け座１２は、図４及び図６で示すように錠ケース２１の収納部３０に略納まるように嵌め込まれる。本実施例では、内側取付け座１２は、錠ケース２１を扉１の内壁面１ａに取付ける機能、泥棒が用いるバールのこじあけ操作力によって錠ケース２１の右側壁部２５に、いわゆる側圧力が加わった時、錠ケースが変形するのを防止する、あるいは錠ケース２１が取付け座２１から屋内側へ浮き上がるのを防止する機能等がある。  
【００２５】
内側取付け座１２は、縦長板状の取付けベース部５０を有している。この取付けベース部５０の上下の縁等には、側壁状の嵌合壁部５１．５１が突出形成されている。上下の嵌合壁部５１．５１は、図６で示すように固定枠状の硬質保護板４１と嵌合した場合には、硬質保護板４１の側壁部４６の内壁面に対して当接可能である。
【００２６】
また取付けベース部５０の上下端部には、硬質保護板４１と同様にシリンダー錠装着用開口５３、操作部材用開口５４、錠ケース２、支持板３２等の貫通孔２４，３７，４５と符合する固着具用のメネジ貫通孔５５などが形成されている。
【００２７】
また、取付けベース部５０側端縁の上下の部位には、水平方向に延びる上下一対の支持腕５６．５６が突出形成され、これらの支持腕５６．５６は、本実施例では、硬質保護板４１の係合切欠部４８に係合する板状係合部５６ａと、この板状係合部５６ａに直交方向に連なると共に、錠ケース２１の右側壁部２５の固着具用孔１９と符合するメネジ５７を有する突片状連結部或いは当接突片５６ｂとから成る。
【００２８】
なお、前記突片状連結部５６ｂは、必ずしも錠ケース２１の右側壁部２５と固着具を介して連結される必要はなく、該右側壁部２５の内面を抑えることができるように当接する突片でも良い。
【００２９】
さらに、取付けベース部５０のシリンダー錠装着用開口５３並びに操作部材用開口５４の各縁部からは、前記支持腕５６．５６の板状係合部５６ａ．５６ａに対して所要の間隔を有して平行する上下一対の挟持腕５８．５８が適宜に折り曲げられて延伸し、これらの挟持腕５８．５８の先端部には、錠ケース２１及び支持板３２の上下の固着具用貫通孔２４，３７とそれぞれ符合するメネジ５９が形成されている。
【００３０】
上記構成において、内側取付け座１２は、前述した複数個の固着具１３を介して扉１の内壁面１ａに固定される。この場合には、図１で示すように内側取付け座１２の上下一対の挟持腕５８．５８は、扉１の開口部１ｄを介して扉１の内部に位置する。
【００３１】
また、収納部３０内の支持板の一側面にドリル対策用の硬質保護板４１を固定的に添設した錠ケース２１は、複数本（３本）の長杆状固着具６０を介して内側取付け座１２に固定される。この場合長杆状固着具６０は、錠ケース２１、支持板３２等の固着具用貫通孔２４，３７，４５を貫通して内側取付け座１２の上下一対の挟持腕５８．５８にそれぞれ螺合する。
【００３２】
また、本実施例では、複数本（２本）の連結用固着具６１を錠ケース２１のデッドボルト突出側の一側壁（右側壁）２５の孔２９．２９にそれぞれ差込み、内側取付け座１２の上下一対の支持腕５６．５６の突片状連結部５６ｂ．５６ｂにそれぞれ螺合する。
【実施例】
【００３３】
本実施例では、硬質保護板４１は、支持板３２の一側面に添設状態に固定されかつ錠機構部３３をカバーする幅広の垂直壁部４２と、この垂直壁部４２に直交方向に連なる周壁状の側壁部４６とから成るが、その形態は特に限定するものではない。硬質保護板４１の形態に関しては、少なくともデッドボルトをドリリングの攻撃から保護することができれば良いから、円形、多角形等の幅広板状体であっても良い。
【００３４】
また本実施例の硬質保護板４１は、ドリルによる穴あけ加工（穿孔操作）が困難であるように硬質材料で形成され、または浸炭焼入れが施されているが、もちろん、内側取付け座１２も同様に構成しても良い。このような実施例の場合には、錠ケース２１の収納部３０内に硬質保護板４１が二重に並存することになるから、扉１の外壁面１ｂ側からのドリルの穴あけ加工に対して万全の対策を講じることができる。また、内側取付け座１２の取付けベース部５０の適宜箇所には、図示しない補強用の突片を単数又は複数個形成しても良い。
【産業上の利用可能性】
【００３５】
本発明は、主に家屋、施設、倉庫などの扉の内壁面に固定される扉用面付け錠に利用される。
【図面の簡単な説明】
【００３６】
図１乃至図８は本発明の最良の実施例を示す各説明図。
【図１】実施形態の一例を示す平面側からの説明図。
【図２】分解斜視図。
【図３】屋内側から見た正面図。
【図４】図３の４−４線概略断面図。
【図５】錠ケースの支持板に硬質保護板を嵌め込んだ場合に於いて、錠ケースの面付け端面側から見た概略説明図。
【図６】図５に於いて、内側取付け座を錠ケース内に嵌め込んだ場合の説明図。
【図７】ドリル攻撃の場合の概略説明図。
【図８】バール攻撃の場合の概略説明図。
【符号の説明】
【００３７】
Ｘ…面付け錠、1…扉、１ａ…内壁面、２…屋外、３…屋内、４…扉用枠、５…隙間、６…受け金具、７…デッドボルト、８…ラッチ、９…内側操作部材、１０…外側操作部材、１１…外側取付け座、１２…内側取付け座、１３，６０，６１…固着具、１４…シリンダー錠、１５…摘み、２１…錠ケース、２２…前板部、２３…軸部用孔、２４，３７，４５，５５…固着具用貫通孔、２５…右側板部、２９…孔、３０…収納部、３１…面付け端面、３２…支持板、３３…錠機構部、４１…硬質保護板、４２…垂直壁部、４３，５３…シリンダー錠装着用開口、４４，５４…操作部材用開口、４６…側壁部、４８…係合切欠部、５０…取付けベース部、５１…嵌合壁部、５６…支持腕、５６ａ…板状係合部、５６ｂ…突片状連結部、６５…ドリル、６６…バール。
【図１】
2005083161.tif 000003
【図２】
2005083161.tif 000004
【図３】
2005083161.tif 000005
【図４】
2005083161.tif 000006
【図５】
2005083161.tif 000007
【図６】
2005083161.tif 000008
【図７】
2005083161.tif 000009
【図８】
2005083161.tif 000010